(57)【要約】【課題】ＮＮＩとＵＮＩからなる光クロスコネクトシステムの波長選択スイッチ内の光スイッチの数を削減し、低コスト化を図る。【解決手段】本発明は、ＮＮＩの入力側の波長選択スイッチを、波長多重信号光から特定の波長光を選択し、光スイッチに出力するものとし、出力側の波長選択スイッチを光スイッチから入力された波長光を選択し、出力するものとし、光スイッチを入力側・出力側の波長選択スイッチの間に配置し、入力された波長光を切り替え、該出力側の波長選択スイッチ及びＵＮＩの出力側の波長選択スイッチに出力ものとする。ＵＮＩの入力側の波長選択スイッチを入力された波長多重信号光から波長光を選択し、光スイッチに対して選択された波長を出力するものとし、出力側の波長選択スイッチをＮＮＩの光スイッチから出力された波長光を選択して出力するものとする。【選択図】図１
2008259132.tif 000002
【特許請求の範囲】
【請求項１】
波長多重伝送に使用される波長多重信号光から特定の波長の信号を選択して取り出す波長選択スイッチを用いた光クロスコネクト装置とユーザネットワークインタフェース（ＵＮＩ）から構成される光クロスコネクトシステムであって、
前記光クロスコネクト装置は、入力側と出力側に並列に設けられる複数の波長選択スイッチと、該入力側の波長選択スイッチと該出力側の波長選択スイッチとの間に設けられる複数の光スイッチと、を有し、
前記ＵＮＩは、入力側と出力側に、１以上最大光クロスコネクト装置と同数の波長選択スイッチを有し、
前記光クロスコネクト装置の入力側の複数の波長選択スイッチは、
それぞれに入力された波長多重信号光から特定の波長光を選択し、前記光スイッチに選択された該波長を出力し、
前記光クロスコネクト装置の出力側の複数の波長選択スイッチは、
前記光スイッチからそれぞれ入力された波長光を選択して出力し、
前記光クロスコネクト装置の前記光スイッチは、
前記入力側の波長選択スイッチ及び前記ＵＮＩの入力側の波長選択スイッチから入力された波長光を切り替え、該出力側の波長選択スイッチ及び前記ＵＮＩの出力側の波長選択スイッチに出力し、
前記ＵＮＩの入力側の波長選択スイッチは、
入力された波長多重信号光から特定の波長光を選択し、前記光クロスコネクト装置の前記光スイッチに対して選択された波長を出力し、
前記ＵＮＩの出力側の波長選択スイッチは、
前記光クロスコネクト装置の前記光スイッチから出力された波長光を選択して出力することを特徴とする光クロスコネクトシステム。
【請求項２】
波長多重伝送に使用される波長多重信号光から特定の波長の信号を選択して取り出す波長選択スイッチを用いた光クロスコネクト装置とユーザネットワークインタフェース（ＵＮＩ）から構成される光クロスコネクトシステムであって、
前記光クロスコネクト装置は、入力側と出力側に並列に設けられる複数の波長選択スイッチと、該入力側の波長選択スイッチと該出力側の波長選択スイッチとの間に設けられる複数の光スイッチと、を有し、
前記ＵＮＩは、入力側と出力側に、１以上最大光クロスコネクト装置と同数の波長選択スイッチを有し、
前記光クロスコネクト装置の入力側の複数の波長選択スイッチは、
それぞれに入力された波長多重信号光から特定の波長光を選択し、前記光スイッチ及び前記ＵＮＩの出力側の波長選択スイッチに対して選択された該波長を出力し、
前記光クロスコネクト装置の出力側の複数の波長選択スイッチは、
前記光スイッチ及び前記ＵＮＩの波長選択スイッチからそれぞれ入力された波長光を選択して出力し、
前記光クロスコネクト装置の前記光スイッチは、
前記入力側の波長選択スイッチから入力された波長光を切り替え、該出力側の波長選択スイッチに出力し、
前記ＵＮＩの入力側の波長選択スイッチは、
入力された波長多重信号光から特定の波長光を選択し、前記光クロスコネクト装置の前記出力側の波長選択スイッチに対して選択された波長を出力し、
前記ＵＮＩの出力側の波長選択スイッチは、
前記光クロスコネクト装置の前記入力側の波長選択スイッチから出力された波長光を選択して出力することを特徴とする光クロスコネクトシステム。
【請求項３】
前記光クロスコネクト装置及び前記ＵＮＩの波長選択スイッチは、
入力ポートから入力された波長多重信号光を波長に基づいてマッピングし、Ｎ個の出力ポートから出力する分波手段と、
前記分波手段から出力されたマッピングされた複数の波長光が複数の入力ポートから入力されると、該波長光を空間的に再結合して出力ポートから出力する複数の合波手段と、
を有する
請求項１または２記載の光クロスコネクトシステム。
【請求項４】
前記光クロスコネクト装置及び前記ＵＮＩの波長選択スイッチは、
入力ポートから入力された波長多重信号光の波長帯域毎に分割し、出力ポートから出力する複数の帯域分割フィルタを有し、
前記帯域分割フィルタは、波長帯域毎に分割された１つの波長光は第１の出力ポートからそのまま外部に出力し、それ以外の波長光は次段の帯域分割フィルタに出力し、
最後段の帯域分割フィルタは、波長帯域毎に分割された波長光をそのまま外部に出力する
請求項１または２記載の光クロスコネクトシステム。
【請求項５】
前記波長選択スイッチは、
波長を選択するための波長編集信号に基づいて、波長多重信号光から波長を選択し、
前記光スイッチは、
波長の方路を切り替えるための方路切替信号に基づいて、方路を切り替える
請求項１乃至４記載の光クロスコネクトシステム。
【請求項６】
波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムであって、
前記光クロスコネクト装置は、入力側と出力側に並列に設けられる複数の波長選択スイッチと、該入力側の波長選択スイッチと該出力側の波長選択スイッチとの間に設けられる複数の光スイッチを有し、
前記ＵＮＩは、現用系と予備系の入力側及び出力側に、１以上最大光クロスコネクト装置と同数の波長選択スイッチを有し、
前記光クロスコネクト装置の入力側の複数の波長選択スイッチは、
それぞれに入力された波長多重信号光から特定の波長光を選択し、前記光スイッチに選択された該波長を出力し、
前記光クロスコネクト装置の出力側の複数の波長選択スイッチは、
前記光スイッチからそれぞれ入力された波長光を選択して出力し、
前記光クロスコネクト装置の前記光スイッチは、
前記入力側の波長選択スイッチ及び前記ＵＮＩの入力側の現用系または予備系の波長選択スイッチから入力された波長光を切り替え、該出力側の波長選択スイッチ及び前記ＵＮＩの出力側の現用系または予備系の波長選択スイッチに出力し、
前記ＵＮＩの現用系及び予備系の入力側の波長選択スイッチは、
入力された波長多重信号光から特定の波長光を選択し、前記光クロスコネクト装置の光スイッチに対して選択された波長を出力し、
前記ＵＮＩの現用系及び予備系の出力側の波長選択スイッチは、
前記光クロスコネクト装置の前記光スイッチから出力された波長光を選択して出力することを特徴とする光クロスコネクトシステム。
【請求項７】
波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムであって、
前記光クロスコネクト装置は、入力側と出力側に並列に設けられる複数の波長選択スイッチと、該入力側の波長選択スイッチと該出力側の波長選択スイッチとの間に設けられる複数の光スイッチと、を有し、
前記ＵＮＩは、現用系と予備系の入力側及び出力側に、１以上最大光クロスコネクト装置と同数の波長選択スイッチ波長選択スイッチを有し、
前記光クロスコネクト装置の入力側の複数の波長選択スイッチは、
それぞれに入力された波長多重信号光から特定の波長光を選択し、前記光スイッチに選択された該波長を出力し、
前記光クロスコネクト装置の出力側の複数の波長選択スイッチは、
前記光スイッチからそれぞれ入力された波長光を選択して出力し、
前記光クロスコネクト装置の前記光スイッチは、
前記入力側の波長選択スイッチから入力された波長光を切り替え、前記ＵＮＩの出力側の現用系または予備系の波長選択スイッチ及び前記ＵＮＩの出力側の波長選択スイッチに出力し、
前記ＵＮＩの現用系及び予備系の入力側の波長選択スイッチは、
入力された波長多重信号光から特定の波長光を選択し、前記光クロスコネクト装置の前記出力側の波長選択スイッチに対して選択された波長を出力し、
前記ＵＮＩの現用系及び予備系の出力側の波長選択スイッチは、
前記光クロスコネクト装置の前記入力側の波長選択側の波長選択スイッチから出力された波長光を選択して出力することを特徴とする光クロスコネクトシステム。
【請求項８】
前記光クロスコネクト装置及び前記ＵＮＩの波長選択スイッチは、
入力ポートから入力された波長多重信号光を波長に基づいてマッピングし、Ｎ個の出力ポートから出力する分波手段と、
前記分波手段から出力されたマッピングされた複数の波長光が複数の入力ポートから入力されると、該波長光を空間的に再結合して出力ポートから出力する複数の合波手段と、
を有する
請求項６または７記載の光クロスコネクトシステム。
【請求項９】
前記光クロスコネクト装置及び前記ＵＮＩの波長選択スイッチは、
入力ポートから入力された波長多重信号光の波長帯域毎に分割し、出力ポートから出力する複数の帯域分割フィルタを有し、
前記帯域分割フィルタは、波長帯域毎に分割された１つの波長光は第１の出力ポートからそのまま外部に出力し、それ以外の波長光は次段の帯域分割フィルタに出力し、
最後段の帯域分割フィルタは、波長帯域毎に分割された波長光をそのまま外部に出力する
請求項６または７記載の光クロスコネクトシステム。
【請求項１０】
前記波長選択スイッチは、
波長を選択するための波長編集信号に基づいて、波長多重信号光から波長を選択し、
前記光スイッチは、
波長の方路を切り替えるための方路切替信号に基づいて、方路を切り替える
請求項６乃至９記載の光クロスコネクトシステム。
【請求項１１】
波長多重伝送に使用される波長多重信号光から特定の波長の信号を選択して取り出す波長選択スイッチを用いた光クロスコネクト装置とユーザネットワークインタフェース（ＵＮＩ）から構成される光クロスコネクトシステムにおける信号制御方法であって、
入力側と出力側に並列に設けられる複数の波長選択スイッチと、該入力側の波長選択スイッチと該出力側の波長選択スイッチとの間に設けられる複数の光スイッチと、を有する光クロスコネクト装置と、
入力側と出力側に、１以上最大光クロスコネクト装置と同数の波長選択スイッチを有するＵＮＩからなる光クロスコネクトシステムにおいて、
前記光クロスコネクト装置の入力側の複数の波長選択スイッチは、
それぞれに入力された波長多重信号光から特定の波長光を選択し、前記光スイッチに選択された該波長を出力し、
前記光クロスコネクト装置の出力側の複数の波長選択スイッチは、
前記光スイッチからそれぞれ入力された波長光を選択して出力し、
前記光クロスコネクト装置の前記光スイッチは、
前記入力側の波長選択スイッチ及び前記ＵＮＩの入力側の波長選択スイッチから入力された波長光を切り替え、該出力側の波長選択スイッチ及び前記ＵＮＩの出力側の波長選択スイッチに出力し、
前記ＵＮＩの入力側の波長選択スイッチは、
入力された波長多重信号光から特定の波長光を選択し、前記光クロスコネクト装置の前記光スイッチに対して選択された波長を出力し、
前記ＵＮＩの出力側の波長選択スイッチは、
前記光クロスコネクト装置の前記光スイッチから出力された波長光を選択して出力することを特徴とする光クロスコネクトシステムにおける信号制御方法。
【請求項１２】
波長多重伝送に使用される波長多重信号光から特定の波長の信号を選択して取り出す波長選択スイッチを用いた光クロスコネクト装置とユーザネットワークインタフェース（ＵＮＩ）から構成される光クロスコネクトシステムにおける信号制御方法であって、
入力側と出力側に並列に設けられる複数の波長選択スイッチと、該入力側の波長選択スイッチと該出力側の波長選択スイッチとの間に設けられる複数の光スイッチと、を有する光クロスコネクト装置と、
入力側と出力側に、１以上最大光クロスコネクト装置と同数の波長選択スイッチを有するＵＮＩと、
を有する光クロスコネクトシステムにおいて、
前記光クロスコネクト装置の入力側の複数の波長選択スイッチは、
それぞれに入力された波長多重信号光から特定の波長光を選択し、前記光スイッチ及び前記ＵＮＩの出力側の波長選択スイッチに対して選択された該波長を出力し、
前記光クロスコネクト装置の出力側の複数の波長選択スイッチは、
前記光スイッチ及び前記ＵＮＩの波長選択スイッチからそれぞれ入力された波長光を選択して出力し、
前記光クロスコネクト装置の前記光スイッチは、
前記入力側の波長選択スイッチから入力された波長光を切り替え、該出力側の波長選択スイッチに出力し、
前記ＵＮＩの入力側の波長選択スイッチは、
入力された波長多重信号光から特定の波長光を選択し、前記光クロスコネクト装置の前記出力側の波長選択スイッチに対して選択された波長を出力し、
前記ＵＮＩの出力側の波長選択スイッチは、
前記光クロスコネクト装置の前記入力側の波長選択スイッチから出力された波長光を選択して出力することを特徴とする光クロスコネクトシステムにおける信号制御方法。
【請求項１３】
波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムにおける信号制御方法であって、
入力側と出力側に並列に設けられる複数の波長選択スイッチと、該入力側の波長選択スイッチと該出力側の波長選択スイッチとの間に設けられる複数の光スイッチを有する光クロスコネクト装置と、
現用系と予備系の入力側及び出力側に、１以上最大光クロスコネクト装置と同数の波長選択スイッチを有するＵＮＩと、
を有する光クロスコネクトシステムにおいて、
前記光クロスコネクト装置の入力側の複数の波長選択スイッチは、
それぞれに入力された波長多重信号光から特定の波長光を選択し、前記光スイッチに選択された該波長を出力し、
前記光クロスコネクト装置の出力側の複数の波長選択スイッチは、
前記光スイッチからそれぞれ入力された波長光を選択して出力し、
前記光クロスコネクト装置の前記光スイッチは、
前記入力側の波長選択スイッチ及び前記ＵＮＩの入力側の現用系または予備系の波長選択スイッチから入力された波長光を切り替え、該出力側の波長選択スイッチ及び前記ＵＮＩの出力側の現用系または予備系の波長選択スイッチに出力し、
前記ＵＮＩの現用系及び予備系の入力側の波長選択スイッチは、
入力された波長多重信号光から特定の波長光を選択し、前記光クロスコネクト装置の光スイッチに対して選択された波長を出力し、
前記ＵＮＩの現用系及び予備系の出力側の波長選択スイッチは、
前記光クロスコネクト装置の前記光スイッチから出力された波長光を選択して出力することを特徴とする光クロスコネクトシステムにおける信号制御方法。
【請求項１４】
波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムにおける信号制御方法であって、
入力側と出力側に並列に設けられる複数の波長選択スイッチと、該入力側の波長選択スイッチと該出力側の波長選択スイッチとの間に設けられる複数の光スイッチと、を有する光クロスコネクト装置と、
現用系と予備系の入力側及び出力側に、１以上最大光クロスコネクト装置と同数の波長選択スイッチ波長選択スイッチを有するＵＮＩと、
を有する光クロスコネクトシステムにおいて、
前記光クロスコネクト装置の入力側の複数の波長選択スイッチは、
それぞれに入力された波長多重信号光から特定の波長光を選択し、前記光スイッチに選択された該波長を出力し、
前記光クロスコネクト装置の出力側の複数の波長選択スイッチは、
前記光スイッチからそれぞれ入力された波長光を選択して出力し、
前記光クロスコネクト装置の前記光スイッチは、
前記入力側の波長選択スイッチから入力された波長光を切り替え、前記ＵＮＩの出力側の現用系または予備系の波長選択スイッチ及び前記ＵＮＩの出力側の波長選択スイッチに出力し、
前記ＵＮＩの現用系及び予備系の入力側の波長選択スイッチは、
入力された波長多重信号光から特定の波長光を選択し、前記光クロスコネクト装置の前記出力側の波長選択スイッチに対して選択された波長を出力し、
前記ＵＮＩの現用系及び予備系の出力側の波長選択スイッチは、
前記光クロスコネクト装置の前記入力側の波長選択側の波長選択スイッチから出力された波長光を選択して出力することを特徴とする光クロスコネクトシステムにおける信号制御方法。
【発明の詳細な説明】
【技術分野】
【０００１】
本発明は、光クロスコネクトシステム及び光クロスコネクトシステムにおける信号制御方法に係り、特に、光波長多重（ＷＤＭ:Wavelength Division Multiplexer)システムにおいて、ＮＮＩ(Network Network Interface)側の波長多重された信号の経路切り替えを行う光クロスコネクト装置にＵＮＩ(User Network Interface)及びその冗長系を収容した光クロスコネクトシステム及び光クロスコネクトシステムにおける信号制御方法に関するものである。
【背景技術】
【０００２】
光波長多重システムにおける、従来のＮＮＩ側の光クロスコネクト装置にクライアントを収容する方法を以下に示す。
【０００３】
光通信システムでは、１本の光ファイバに異なる波長を光を複数伝搬させることができる波長多重通信技術（WDM：Wavelength Division Multiplexing）を用いることによって伝送容量を増大させている。このＷＤＭにおいて、波長多重信号光から特定の波長信号を取り出す波長選択スイッチを利用した光クロスコネクト装置がある（例えば、非特許文献１参照）。
【０００４】
図１６は、従来のクライアントを収容するシステム構成を示す。
【０００５】
同図に示すシステムは、ＮＮＩインタフェース１０（光クロスコネクト装置）と当該ＮＮＩインタフェース１０に収容されるユーザ側のＵＮＩインタフェース２０から構成される。同図の例では、ＮＮＩインタフェース１０は、波長を管理し、波長編集信号及び方路切替信号を出力する制御部２と、入力側・出力側にそれぞれ４個ずつの波長選択スイッチ１ａ、１ｂが設けられ、波長多重された光信号の経路切替を波長チャネルに基づいて行う光クロスコネクト装置である。ＵＮＩインタフェース２０には、入力側・出力側に、ＮＮＩインタフェース１０と同様の波長選択スイッチ１ｃ、１ｄが設けられている。
【０００６】
ＮＮＩインタフェース１０の入力側の波長選択スイッチ１ａは、ＮＮＩインタフェース１０の出力側の各波長選択スイッチ１ｂ及びＵＮＩインタフェース２０の出力側の波長選択スイッチ１ｄに対して選択された波長を出力する。
【０００７】
上記のＮＮＩインタフェース１０及びＵＮＩインタフェース２０に用いられる各波長選択スイッチは、図１７に示すような構成を有する。同図に示す波長選択スイッチ１は、１つの分波器１１、分波器１１に接続された複数光スイッチ２１、光スイッチ２１に接続された複数の合波器３１から構成される。
【０００８】
同図に示す分波器１１は、入力ポートから入力されたλ１，λ２，…，λｎのｎチャネルからなる波長多重信号光を制御部２からの波長編集信号に基づいてｎ個に分波し、ｎ個の光スイッチ２１に出力する。つまり、波長多重信号光の波長数と同数の光スイッチが必要となる。同図の例では、λ１，λ２，…，λ１１からなる波長多重信号光を１１に分波し、１１個の光スイッチ２１に出力している。
【０００９】
それぞれの光スイッチ２１は、１つの入力ポートとＭ（Ｍは合波器の数）個の出力ポートを持ち、入力された何れかのＷＤＭ入力光を制御部２からの方路切替信号に基づいて、切り替えて合波器３１に出力する。
【００１０】
合波器３１は、光スイッチ２１から入力された波長を合波して出力する。図１７の例では、４つの合波器が設けられており、波長λ１〜λ３、波長λ４〜λ６、波長λ７〜λ８、波長λ９〜λ１１が各出力ポートより出力される。
【００１１】
上記のＮＮＩインタフェース１０と同様の構成の波長選択スイッチ１ｃ、１ｄが設けられているＵＮＩインタフェース２０では、入力側の波長選択スイッチ１ｃで選択されたいずれかの波長光が、ＮＮＩインタフェース１０の何れかの波長選択スイッチ１ｂに入力され、波長選択スイッチ１ｂでは、ＵＮＩインタフェース２０の波長選択スイッチ１ｃから入力された波長光及びＮＮＩインタフェース１０の何れかの波長選択スイッチ１ａから入力された波長光を選択して出力する。
【００１２】
また、ＮＮＩインタフェース１０の波長選択スイッチ１ａで選択された波長光は、波長選択スイッチ１ｂ及びＵＮＩインタフェース２０の波長選択スイッチ１ｄに出力される。
【非特許文献１】Lei Zong, Philip Ji, Ting Wang, Osamu Matsuda, Milorad Cvijetic, "Study on Wave length Cross-Connect Realized with Wavelength Selective Switches", Optical Fiber Communications 2006.
【発明の開示】
【発明が解決しようとする課題】
【００１３】
しかしながら、上記従来の構成では、図１７に示すような波長多重信号光のチャネル数と同数の光スイッチを内蔵する波長選択スイッチを用いているため、波長選択スイッチの数が増加するに伴い、光スイッチの数も増加するという問題がある。
【００１４】
本発明は、上記の点に鑑みなされたもので、波長選択スイッチ内の光スイッチの数を削減し、低コスト化が可能な光クロスコネクトシステム及び光クロスコネクトシステムにおける信号制御方法を提供することを目的とする。
【課題を解決するための手段】
【００１５】
図１は、本発明の原理構成図である。
【００１６】
本発明（請求項１）は、波長多重伝送に使用される波長多重信号光から特定の波長の信号を選択して取り出す波長選択スイッチを用いた光クロスコネクト装置１００とユーザネットワークインタフェース（ＵＮＩ）２００から構成される光クロスコネクトシステムであって、
光クロスコネクト装置１００は、入力側と出力側に並列に設けられる複数の波長選択スイッチ１１０と、該入力側の波長選択スイッチと該出力側の波長選択スイッチとの間に設けられる複数の光スイッチ１２０と、を有し、
ＵＮＩ２００は、入力側と出力側に、１以上最大光クロスコネクト装置と同数の波長選択スイッチ２１０を有し、
光クロスコネクト装置１００の入力側の複数の波長選択スイッチ１１０ａは、
それぞれに入力された波長多重信号光から特定の波長光を選択し、光スイッチ１２０に選択された該波長を出力し、
光クロスコネクト装置１００の出力側の複数の波長選択スイッチ１１０ｂは、
光スイッチ１２０からそれぞれ入力された波長光を選択して出力し、
光クロスコネクト装置１００の光スイッチ１２０は、
入力側の波長選択スイッチ１１０ａ及びＵＮＩの入力側の波長選択スイッチ２１０ａから入力された波長光を切り替え、該出力側の波長選択スイッチ１１０ｂ及びＵＮＩの出力側の波長選択スイッチ２１０ｂに出力し、
ＵＮＩの入力側の波長選択スイッチ２１０ａは、
入力された波長多重信号光から特定の波長光を選択し、光クロスコネクト装置１００の光スイッチ１２０に対して選択された波長を出力し、
ＵＮＩ２００の出力側の波長選択スイッチ２１０ｂは、
光クロスコネクト装置１００の光スイッチ１２０から出力された波長光を選択して出力する。
【００１７】
本発明（請求項２）は、波長多重伝送に使用される波長多重信号光から特定の波長の信号を選択して取り出す波長選択スイッチを用いた光クロスコネクト装置とユーザネットワークインタフェース（ＵＮＩ）から構成される光クロスコネクトシステムであって、
光クロスコネクト装置は、入力側と出力側に並列に設けられる複数の波長選択スイッチと、該入力側の波長選択スイッチと該出力側の波長選択スイッチとの間に設けられる複数の光スイッチと、を有し、
ＵＮＩは、入力側と出力側に、１以上最大光クロスコネクト装置と同数の波長選択スイッチを有し、
光クロスコネクト装置の入力側の複数の波長選択スイッチは、
それぞれに入力された波長多重信号光から特定の波長光を選択し、光スイッチ及びＵＮＩの出力側の波長選択スイッチに対して選択された該波長を出力し、
光クロスコネクト装置の出力側の複数の波長選択スイッチは、
光スイッチ及びＵＮＩの波長選択スイッチからそれぞれ入力された波長光を選択して出力し、
光クロスコネクト装置の光スイッチは、
入力側の波長選択スイッチから入力された波長光を切り替え、該出力側の波長選択スイッチに出力し、
ＵＮＩの入力側の波長選択スイッチは、
入力された波長多重信号光から特定の波長光を選択し、光クロスコネクト装置の出力側の波長選択スイッチに対して選択された波長を出力し、
ＵＮＩの出力側の波長選択スイッチは、
光クロスコネクト装置の入力側の波長選択スイッチから出力された波長光を選択して出力する。
【００１８】
また、本発明（請求項３）は、請求項１または２において、光クロスコネクト装置及びＵＮＩの波長選択スイッチとして、
入力ポートから入力された波長多重信号光を波長に基づいてマッピングし、Ｎ個の出力ポートから出力する分波手段と、
分波手段から出力されたマッピングされた複数の波長光が複数の入力ポートから入力されると、該波長光を空間的に再結合して出力ポートから出力する複数の合波手段と、
を有する波長選択スイッチを用いる。
【００１９】
また、本発明（請求項４）は、請求項１または２において、光クロスコネクト装置及びＵＮＩの波長選択スイッチとして、
入力ポートから入力された波長多重信号光の波長帯域毎に分割し、出力ポートから出力する複数の帯域分割フィルタを有し、
帯域分割フィルタが、波長帯域毎に分割された１つの波長光は第１の出力ポートからそのまま外部に出力し、それ以外の波長光は次段の帯域分割フィルタに出力し、
最後段の帯域分割フィルタが、波長帯域毎に分割された波長光をそのまま外部に出力する波長選択スイッチを用いる。
【００２０】
また、本発明（請求項５）は、請求項１乃至４において、
波長選択スイッチが、
波長を選択するための波長編集信号に基づいて、波長多重信号光から波長を選択し、
光スイッチが、
波長の方路を切り替えるための方路切替信号に基づいて、方路を切り替える。
【００２１】
また、本発明（請求項６）は、波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムであって、
光クロスコネクト装置は、入力側と出力側に並列に設けられる複数の波長選択スイッチと、該入力側の波長選択スイッチと該出力側の波長選択スイッチとの間に設けられる複数の光スイッチを有し、
ＵＮＩは、現用系と予備系の入力側及び出力側に、１以上最大光クロスコネクト装置と同数の波長選択スイッチを有し、
光クロスコネクト装置の入力側の複数の波長選択スイッチは、
それぞれに入力された波長多重信号光から特定の波長光を選択し、光スイッチ及びＵＮＩの出力側の波長選択スイッチに対して選択された該波長を出力し、
光クロスコネクト装置の出力側の複数の波長選択スイッチは、
光スイッチからそれぞれ入力された波長光を選択して出力し、
光クロスコネクト装置の光スイッチは、
入力側の波長選択スイッチから入力された波長光を切り替え、該出力側の現用系または予備系の波長選択スイッチ及びＵＮＩの出力側の波長選択スイッチに出力し、
ＵＮＩの現用系及び予備系の入力側の波長選択スイッチは、
入力された波長多重信号光から特定の波長光を選択し、光クロスコネクト装置の光スイッチに対して選択された波長を出力し、
ＵＮＩの現用系及び予備系の出力側の波長選択スイッチは、
光クロスコネクト装置の光スイッチから出力された波長光を選択して出力する。
【００２２】
本発明（請求項７）は、波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムであって、
光クロスコネクト装置は、入力側と出力側に並列に設けられる複数の波長選択スイッチと、該入力側の波長選択スイッチと該出力側の波長選択スイッチとの間に設けられる複数の光スイッチと、を有し、
ＵＮＩは、現用系と予備系の入力側及び出力側に、１以上最大光クロスコネクト装置と同数の波長選択スイッチを有し、
光クロスコネクト装置の入力側の複数の波長選択スイッチは、
それぞれに入力された波長多重信号光から特定の波長光を選択し、光スイッチに選択された該波長を出力し、
光クロスコネクト装置の出力側の複数の波長選択スイッチは、
光スイッチからそれぞれ入力された波長光を選択して出力し、
光クロスコネクト装置の光スイッチは、
入力側の波長選択スイッチから入力された波長光を切り替え、ＵＮＩの出力側の現用系または予備系の波長選択スイッチ及びＵＮＩの出力側の波長選択スイッチに出力し、
ＵＮＩの現用系及び予備系の入力側の波長選択スイッチは、
入力された波長多重信号光から特定の波長光を選択し、光クロスコネクト装置の出力側の波長選択スイッチに対して選択された波長を出力し、
ＵＮＩの現用系及び予備系の出力側の波長選択スイッチは、
光クロスコネクト装置の入力側の波長選択側の波長選択スイッチから出力された波長光を選択して出力する。
【００２３】
また、本発明（請求項８）は、請求項６または７において、
光クロスコネクト装置及びＵＮＩの波長選択スイッチとして、
入力ポートから入力された波長多重信号光を波長に基づいてマッピングし、Ｎ個の出力ポートから出力する分波手段と、
分波手段から出力されたマッピングされた複数の波長光が複数の入力ポートから入力されると、該波長光を空間的に再結合して出力ポートから出力する複数の合波手段と、
を有する波長選択スイッチを用いる。
【００２４】
また、本発明（請求項９）は、請求項６または７において、
光クロスコネクト装置及びＵＮＩの波長選択スイッチとして、
入力ポートから入力された波長多重信号光の波長帯域毎に分割し、出力ポートから出力する複数の帯域分割フィルタを有し、
帯域分割フィルタが、波長帯域毎に分割された１つの波長光は第１の出力ポートからそのまま外部に出力し、それ以外の波長光は次段の帯域分割フィルタに出力し、
最後段の帯域分割フィルタが、波長帯域毎に分割された波長光をそのまま外部に出力する波長選択スイッチを用いる。
【００２５】
また、本発明（請求項１０）は、波長選択スイッチにおいて、波長を選択するための波長編集信号に基づいて、波長多重信号光から波長を選択し、
光スイッチにおいて、波長の方路を切り替えるための方路切替信号に基づいて、方路を切り替える。
【００２６】
本発明（請求項１１）は、波長多重伝送に使用される波長多重信号光から特定の波長の信号を選択して取り出す波長選択スイッチを用いた光クロスコネクト装置とユーザネットワークインタフェース（ＵＮＩ）から構成される光クロスコネクトシステムにおける信号制御方法であって、
入力側と出力側に並列に設けられる複数の波長選択スイッチと、該入力側の波長選択スイッチと該出力側の波長選択スイッチとの間に設けられる複数の光スイッチと、を有する光クロスコネクト装置と、
入力側と出力側に、１以上最大光クロスコネクト装置と同数の波長選択スイッチを有するＵＮＩからなる光クロスコネクトシステムにおいて、
光クロスコネクト装置の入力側の複数の波長選択スイッチは、
それぞれに入力された波長多重信号光から特定の波長光を選択し、光スイッチに選択された該波長を出力し、
光クロスコネクト装置の出力側の複数の波長選択スイッチは、
光スイッチからそれぞれ入力された波長光を選択して出力し、
光クロスコネクト装置の光スイッチは、
入力側の波長選択スイッチ及びＵＮＩの入力側の波長選択スイッチから入力された波長光を切り替え、該出力側の波長選択スイッチ及びＵＮＩの出力側の波長選択スイッチに出力し、
ＵＮＩの入力側の波長選択スイッチは、
入力された波長多重信号光から特定の波長光を選択し、光クロスコネクト装置の前記光スイッチに対して選択された波長を出力し、
ＵＮＩの出力側の波長選択スイッチは、
光クロスコネクト装置の光スイッチから出力された波長光を選択して出力する。
【００２７】
本発明（請求項１２）は、波長多重伝送に使用される波長多重信号光から特定の波長の信号を選択して取り出す波長選択スイッチを用いた光クロスコネクト装置とユーザネットワークインタフェース（ＵＮＩ）から構成される光クロスコネクトシステムにおける信号制御方法であって、
入力側と出力側に並列に設けられる複数の波長選択スイッチと、該入力側の波長選択スイッチと該出力側の波長選択スイッチとの間に設けられる複数の光スイッチと、を有する光クロスコネクト装置と、
入力側と出力側に、１以上最大光クロスコネクト装置と同数の波長選択スイッチを有するＵＮＩと、
を有する光クロスコネクトシステムにおいて、
光クロスコネクト装置の入力側の複数の波長選択スイッチは、
それぞれに入力された波長多重信号光から特定の波長光を選択し、光スイッチ及びＵＮＩの出力側の波長選択スイッチに対して選択された該波長を出力し、
光クロスコネクト装置の出力側の複数の波長選択スイッチは、
光スイッチ及びＵＮＩの波長選択スイッチからそれぞれ入力された波長光を選択して出力し、
光クロスコネクト装置の光スイッチは、
入力側の波長選択スイッチから入力された波長光を切り替え、該出力側の波長選択スイッチに出力し、
ＵＮＩの入力側の波長選択スイッチは、
入力された波長多重信号光から特定の波長光を選択し、光クロスコネクト装置の出力側の波長選択スイッチに対して選択された波長を出力し、
ＵＮＩの出力側の波長選択スイッチは、
光クロスコネクト装置の入力側の波長選択スイッチから出力された波長光を選択して出力する。
【００２８】
本発明（請求項１３）は、波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムにおける信号制御方法であって、
入力側と出力側に並列に設けられる複数の波長選択スイッチと、該入力側の波長選択スイッチと該出力側の波長選択スイッチとの間に設けられる複数の光スイッチを有する光クロスコネクト装置と、
現用系と予備系の入力側及び出力側に、１以上最大光クロスコネクト装置と同数の波長選択スイッチを有するＵＮＩと、
を有する光クロスコネクトシステムにおいて、
光クロスコネクト装置の入力側の複数の波長選択スイッチは、
それぞれに入力された波長多重信号光から特定の波長光を選択し、光スイッチに選択された該波長を出力し、
光クロスコネクト装置の出力側の複数の波長選択スイッチは、
光スイッチからそれぞれ入力された波長光を選択して出力し、
光クロスコネクト装置の光スイッチは、
入力側の波長選択スイッチ及びＵＮＩの入力側の現用系または予備系の波長選択スイッチから入力された波長光を切り替え、該出力側の波長選択スイッチ及びＵＮＩの出力側の現用系または予備系の波長選択スイッチに出力し、
ＵＮＩの現用系及び予備系の入力側の波長選択スイッチは、
入力された波長多重信号光から特定の波長光を選択し、光クロスコネクト装置の光スイッチに対して選択された波長を出力し、
ＵＮＩの現用系及び予備系の出力側の波長選択スイッチは、
光クロスコネクト装置の光スイッチから出力された波長光を選択して出力する。
【００２９】
本発明（請求項１４）は、波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムにおける信号制御方法であって、
入力側と出力側に並列に設けられる複数の波長選択スイッチと、該入力側の波長選択スイッチと該出力側の波長選択スイッチとの間に設けられる複数の光スイッチと、を有する光クロスコネクト装置と、
現用系と予備系の入力側及び出力側に、１以上最大光クロスコネクト装置と同数の波長選択スイッチ波長選択スイッチを有するＵＮＩと、
を有する光クロスコネクトシステムにおいて、
光クロスコネクト装置の入力側の複数の波長選択スイッチは、
それぞれに入力された波長多重信号光から特定の波長光を選択し、光スイッチに選択された該波長を出力し、
光クロスコネクト装置の出力側の複数の波長選択スイッチは、
光スイッチからそれぞれ入力された波長光を選択して出力し、
光クロスコネクト装置の光スイッチは、
入力側の波長選択スイッチから入力された波長光を切り替え、ＵＮＩの出力側の現用系または予備系の波長選択スイッチ及びＵＮＩの出力側の波長選択スイッチに出力し、
ＵＮＩの現用系及び予備系の入力側の波長選択スイッチは、
入力された波長多重信号光から特定の波長光を選択し、光クロスコネクト装置の出力側の波長選択スイッチに対して選択された波長を出力し、
ＵＮＩの現用系及び予備系の出力側の波長選択スイッチは、
光クロスコネクト装置の入力側の波長選択側の波長選択スイッチから出力された波長光を選択して出力する。
【発明の効果】
【００３０】
上記のように本発明によれば、波長選択スイッチ内部に光スイッチを設けずに、ＮＮＩインタフェースの入力側の波長選択スイッチと出力側の波長選択スイッチの間に光スイッチを設けたことにより、光スイッチにかかるコストを大幅に削減することができる。
【発明を実施するための最良の形態】
【００３１】
以下、図面と共に本発明の実施の形態を説明する。
【００３２】
［第１の実施の形態］
本実施の形態では、ＮＮＩインタフェースとクライアントのＵＮＩインタフェースからなるシステムについて説明する。
【００３３】
図２は、本発明の第１の実施の形態における光クロスコネクトシステムの構成を示す。
【００３４】
同図に示すシステムは、ＮＮＩインタフェース（光クロスコネクト装置）１００とＵＮＩインタフェース２００から構成される。
【００３５】
ＮＮＩインタフェース１００は、入力側の複数の波長選択スイッチ１１０ａと出力側の複数の波長選択スイッチ１１０ｂ、波長選択スイッチ１１０ａと波長選択スイッチ１１０ｂとの間に設けられる複数の光スイッチ１２０、及び制御部１５０から構成される。
【００３６】
本実施の形態の波長選択スイッチは、図３に示す波長選択スイッチを有する。
【００３７】
図３は、本発明の第１の実施の形態のＮＮＩインタフェースに用いられる波長選択スイッチの構成を示す。
【００３８】
同図に示す波長選択スイッチ１１０は、１つの分波器１１１とｎ個（図３では３個）の合波器１１２から構成される。
【００３９】
分波器１１１は、１×N分波器であり、波長多重信号光λ１，λ２，…，λｎが入力されると、制御部１５０からの波長編集信号に基づいて波長毎にマッピングして合波器１１２に出力する。
【００４０】
合波器１１２は、分波器１１１から入力された波長光の波長軸を空間的に再結合してグループ毎に出力ポートから出力する。
【００４１】
具体的に、波長λ１〜λ１４の波長多重信号光が入力され、そのうち、λ１を第１グループ、λ２，λ３を第２グループ、λ４，λ５を第３グループ、λ６，λ７を第４グループ、λ８，λ９を第５グループ、λ１０，λ１１を第６グループとして説明する。
【００４２】
分波器１１１の入力ポートより上記の波長多重信号光λ１〜λ１４が入力されると、分波器１１１は、第１のグループと第２のグループの波長光を合波器１１２１に、第３のグループと第４グループの波長光を合波器１１２２に、第５のグループと第６グループの波長光を合波器１１２３にそれぞれ出力する。
【００４３】
これにより、それぞれの合波器１１２は、分波器１１１から入力されたグループ毎の波長光を結合して出力ポートから出力する。第１の合波器１１２１は第１・第２のグループの波長光を、第２の合波器１１２２は第３・第４のグループの波長光を、第３の合波器１１２３は第５・第６のグループの波長光を結合して出力する。
【００４４】
このように、波長選択スイッチ内に光スイッチを設けない構成とすることにより、光クロスコネクト装置全体における光スイッチの数を削減することができる。
【００４５】
入力側の波長選択スイッチ１１０ａ１〜１１０ａ４は、上記のような動作により、入力された波長多重光を制御部１５０からの波長編集信号に基づいて波長を選択し、光スイッチ１２０１〜１２０３の何れかに出力する。
【００４６】
光スイッチ１２０１〜１２０３は、入力側の波長選択スイッチ１１０ａあるいはＵＮＩインタフェース２００から入力された波長光を制御部１５０から出力される方路切替信号に基づいて方路を切り替えて出力側の波長選択スイッチ１１０ｂ１〜１１０ｂ４、ＵＮＩインタフェース２００の波長選択スイッチ２１０ｂに出力する。
【００４７】
出力側の波長選択スイッチ１１０ｂ１〜１１０ｂ４は、光スイッチ１２０から入力された波長を入力側の波長選択スイッチ１１０ａと同様の動作により波長を選択して出力ポートから出力する。
【００４８】
ＵＮＩインタフェース２００は、上記のＮＮＩインタフェース１００の波長選択スイッチ１１０と同一の構成の入力側・出力側の波長選択スイッチ２１０ａ、２１０ｂを有する。
【００４９】
ＵＮＩインタフェース２００の入力側の波長選択スイッチ２１０ａは、波長多重光が入力されると、制御部１５０からの波長編集信号に基づいて波長を選択し、ＮＮＩインタフェース１００の光スイッチ１２０に出力する。
【００５０】
ＵＮＩインタフェース２００の出力側の波長選択スイッチ２１０ｂは、ＮＮＩインタフェース１００の光スイッチ１２０から入力された波長光を制御部１５０からの波長編集信号に基づいて選択し、出力ポートから出力する。
【００５１】
なお、上記の構成では、ＮＮＩインタフェース１００の制御部１５０において、ＵＮＩインタフェースの波長制御スイッチを制御する例を示しているが、この例に限定されることなく、ＵＮＩインタフェース２００側にも制御部を設け、２つの制御部において相互にデータを共有して連携することも可能である。
【００５２】
上記の構成は、ＵＮＩインタフェース２００の入力側の波長選択スイッチ２１０ａからＮＮＩインタフェース１００の光スイッチ１２０に選択された波長を出力し、ＮＮＩインタフェース１００の光スイッチ１２０から波長光が入力される構成としたことにより、ＮＮＩインタフェース１００とＵＮＩインタフェース２００間のアド・ドロップ信号を光スイッチ１２０を通過させるものである。
【００５３】
［第２の実施の形態］
本実施の形態は、第１の実施の形態におけるＵＮＩインタフェースの波長選択スイッチの波長光をＮＮＩインタフェースの光スイッチを介さずに直接ＮＮＩインタフェースの波長選択スイッチに入力するものである。
【００５４】
以下では、ＵＮＩインタフェースの波長選択スイッチの波長光をＮＮＩインタフェースの出力側の波長選択スイッチに入力する例を説明する。
【００５５】
図４は、本発明の第２の実施の形態における光クロスコネクトシステムの構成を示す。
【００５６】
同図において、図２と同一構成部分には同一符号を付し、その説明を省略する。同図に示すＮＮＩインタフェース１００及びＵＮＩインタフェース２００の各波長選択スイッチ１１０ａ，１１０ｂ，２１０ａ，２１０ｂは、第１の実施の形態の図４に示す波長選択スイッチと同様の構成であるので、その説明を省略する。
【００５７】
以下では、第１の実施の形態との差分のみを説明する。
【００５８】
ＮＮＩインタフェース１００の入力側の波長選択スイッチ１１０ａは、入力された波長多重光を制御部１５０の波長編集信号に基づいて選択した波長を光スイッチ１２０及び、ＵＮＩインタフェース２００の出力側の波長選択スイッチ２１０ｂに出力する。このとき、ＵＮＩインタフェース２００の出力側の波長選択スイッチ２１０ｂには光スイッチ１２０を経由しないで直接出力する。
【００５９】
ＵＮＩインタフェース２００の入力側の波長選択スイッチ２１０ａは、制御部１５０からの波長編集信号に基づいて、入力された波長多重光を選択してＮＮＩインタフェース１００の出力側の波長選択スイッチ１１０ｂに出力する。このとき、ＮＮＩインタフェース１００の出力側の波長選択スイッチ１１０ｂには光スイッチ１２０を経由しないで直接出力する。
【００６０】
このように、本実施の形態では、ＮＮＩインタフェース１００とＵＮＩインタフェース２００間のアド・ドロップ信号を光スイッチを経由させないようにしたものである。
【００６１】
［第３の実施の形態］
本実施の形態では、上記の第１の実施の形態とは異なる波長選択スイッチを用い、アド・ドロップ信号を光スイッチを通過させる構成について説明する。
【００６２】
図５は、本発明の第３の実施の形態における光クロスコネクトシステムの構成を示す。図２と同一構成部分には同一符号を付し、その説明を省略する。
【００６３】
図５に示す、ＮＮＩインタフェース１００の入力側の波長選択スイッチ１３０ａ１〜１３０ａ４、出力側の波長選択スイッチ１３０ｂ１〜１３０ｂ４、ＵＮＩインタフェース２００の入力側の波長選択スイッチ２３０ａ、出力側の波長選択スイッチ２３０ｂは、図６に示す構成の波長選択スイッチである。
【００６４】
図６に示す波長選択スイッチは、２つの帯域フィルタ１３１を有する。同図では、２段の帯域フィルタの例を示しているが、この例に限定されることなく、ＮＮＩインタフェース１００の入力側の波長選択スイッチ１３０ａと出力側の波長選択スイッチ１３０ｂとの間の光スイッチ１２０の個数に応じて適宜増減させることが可能である。
【００６５】
図６に示す波長選択スイッチの帯域分割フィルタ１３１１にｎチャネルの波長多重光が入力されると、制御部１５０からの波長編集信号に基づいて、当該波長多重光を波長帯域毎に２つに分割し、一方を２段目の帯域分割フィルタ１３１２に入力し、もう一方は出力ポートから出力する。２段目の帯域分割フィルタ１３１２は、帯域フィルタ１３１１から入力された波長を２つに分割し、出力ポートから出力する。
【００６６】
上記のように波長選択スイッチ２００を帯域分割フィルタのみで構成し、光スイッチを用いない構成とすることにより、波長光数分の光スイッチを配置する必要がなく、波長選択スイッチの小型化を図ることができる。
【００６７】
図５に示す、ＮＮＩインタフェース１００の入力側の波長選択スイッチ１３０ａでは、上記のように帯域分割フィルタ１３１で帯域毎に分割された波長を出力ポートより光スイッチ１２０に出力する。出力側の波長選択スイッチ１３０ｂでも同様である。また、ＵＮＩインタフェース２００の入力側の波長選択スイッチ２３０ａも同様に、帯域分割フィルタ１３１から出力された波長をＮＮＩインタフェース１００の光スイッチ１２０に出力する。出力側の波長選択スイッチ２３０ｂは、ＮＮＩインタフェース１００の光スイッチ１２０から入力された波長を同様の動作で選択し、出力ポートより出力する。
【００６８】
［第４の実施の形態］
本実施の形態では、上記の第２の実施の形態とは異なる波長選択スイッチを用い、アド・ドロップ信号を光スイッチを通過させない構成について説明する。
【００６９】
図７は、本発明の第４の実施の形態における光クロスコネクトシステムの構成を示す。同図において、図４と同一構成部分には同一符号を付し、その説明を省略する。
【００７０】
図７において、第２の実施の形態の図４と異なる点は、波長選択スイッチの構成である。本実施の形態における波長選択スイッチは、前述の第３の実施の形態における図６に示す帯域分割フィルタを用いた波長選択スイッチを用いている。ＮＮＩインタフェース１００の波長選択スイッチ１３０ａ，１３０ｂ、ＵＮＩインタフェース２００の波長選択スイッチ２３０ａ，２３０ｂの構成については前述の第３の実施の形態と同様であるのでその説明を省略する。
【００７１】
［第５の実施の形態］
図８は、本発明の第５の実施の形態における光クロスコネクトシステムの構成を示す。図２と同一構成部分には同一符号を付し、その説明を省略する。
【００７２】
本実施の形態は、第１の実施の形態の図２に示す波長選択スイッチ１１０，２１０に代えて、ＮＮＩインタフェース１００及びＵＮＩインタフェース２００の波長選択スイッチとして、従来の技術の図１７に示す波長選択スイッチ１を用いた例である。
【００７３】
図８に示す構成は、ＵＮＩインタフェース２００の入力側の波長選択スイッチ１ｃから選択された波長をＮＮＩインタフェース１００の光スイッチ１２０に出力し、ＮＮＩインタフェース１００の光スイッチ１２０から波長光がＵＮＩインタフェース２００の出力側の波長選択スイッチ１ｄに入力される構成としたことにより、アド・ドロップ信号を光スイッチ１２０を通過させるものである。
【００７４】
［第６の実施の形態］
図９は、本発明の第６の実施の形態における光クロスコネクトシステムの構成を示す。
【００７５】
図３と同一構成部分には同一符号を付し、その説明を省略する。
【００７６】
本実施の形態は、第２の実施の形態の図３に示す波長選択スイッチ１１０，２１０に代えて、ＮＮＩインタフェース１００及びＵＮＩインタフェース２００の波長選択スイッチとして、従来の技術の図１７に示す波長選択スイッチ１を用いた例である。
【００７７】
図９に示す構成は、ＵＮＩインタフェース２００の入力側の波長選択スイッチ１ｃから選択された波長をＮＮＩインタフェース１００の光スイッチ１２０を介さずに、出力側の波長選択スイッチｂに出力し、ＮＮＩインタフェースタフ１００の入力側の波長選択スイッチで選択された波長光が光スイッチ１２０を介さずに、直接ＵＮＩインタフェース２００の出力側の波長選択スイッチ１ｄに入力される構成としたことにより、アド・ドロップ信号を光スイッチ１２０を通過させないようにしたものである。
【００７８】
［第７の実施の形態］
本実施の形態では、ＵＮＩインタフェースの構成を、現用系と予備系からなる冗長系とした例を示す。
【００７９】
図１０は、本発明の第７の実施の形態における光クロスコネクトシステム（冗長系）の構成を示す。
【００８０】
同図に示すシステムは、第１の実施の形態と同様の構成のＮＮＩインタフェース１００と、図３の構成を有する波長選択スイッチ３１０、制御部３５０を有するＵＮＩインタフェース３００から構成される。
【００８１】
ＮＮＩインタフェース１００については、第１の実施の形態と同様であるのでその説明を省略する。
【００８２】
ＵＮＩインタフェース３００は、現用系の入力側の波長選択スイッチ３１０ａ、現用系の出力側の波長選択スイッチ３１０ｃ、予備系の入力側の波長選択スイッチ３１０ｂ、予備系の出力側の波長選択スイッチ３１０ｄ、及び、波長を管理し、各波長選択スイッチ３１０ａ，３１０ｂ，３１０ｃ，３１０ｄに波長編集信号を出力する制御部３５０から構成される。
【００８３】
上記の構成において、ＵＮＩインタフェース３００が現用系で動作している場合は、波長選択スイッチ３１０ａに波長多重光が入力されると、波長選択スイッチ３１０ａはＮＮＩインタフェース１００の光スイッチ１２０に対して、選択された波長を出力する。光スイッチ１２０において、制御部１５０からの方路選択信号に基づいて方路が切り替えられた波長は、ＵＮＩインタフェース３００の現用系の出力側の波長選択スイッチ３１０ｃに入力され、波長選択スイッチ３１０ｃで波長選択された波長が出力ポートから出力される。
【００８４】
また、ＵＮＩインタフェース３００の現用系に障害等が発生し、正常な通信が不可能となった場合には、予備系の波長選択スイッチ３１０ｂに入力された波長多重光を波長選択し、ＮＮＩインタフェース１００の光スイッチ１２０に出力する。光スイッチ１２０において、制御部１５０からの方路選択信号に基づいて方路が切り替えられた波長は、ＵＮＩインタフェース３００の予備系の出力側の波長選択スイッチ３１０ｄに出力される。
【００８５】
上記の構成は、ＵＮＩインタフェース２００の現用系／予備系の入力側の波長選択スイッチ３１０ａまたは３１０ｂからＮＮＩインタフェース１００の光スイッチ１２０に対して、選択された波長を出力し、ＮＮＩインタフェース１００の光スイッチ１２０から波長光がＵＮＩインタフェースの現用系／予備系の出力側の波長選択スイッチ３１０ｃまたは３１０ｄに入力される構成としたことにより、ＮＮＩインタフェース１００とＵＮＩインタフェース間のアド・ドロップ信号を光スイッチ１２０を通過させるものである。
【００８６】
［第８の実施の形態］
本実施の形態では、アド・ドロップ信号を光スイッチ１２０を通過させないようにする点において第７の実施の形態と異なる。
【００８７】
図１１は、本発明の第８の実施の形態における光クロスコネクトシステム（冗長系）の構成を示す。同図に示すＮＮＩインタフェース１００、ＵＮＩインタフェース３００の各波長選択スイッチ１１０、３１０は、第７の実施の形態と同様に、図３に示す構成の波長選択スイッチを用いる。但し、本実施の形態では、ＵＮＩインタフェース３００の入力側の現用系の波長選択スイッチ３１０ａと予備系の波長選択スイッチ３１０ｂは、ＮＮＩインタフェース１００の光スイッチ１２０を介さずに、直接ＮＮＩインタフェース１００の出力側の波長選択スイッチ１１０ｂに選択された波長を出力する。
【００８８】
また、ＮＮＩインタフェース１００の入力側の各波長選択スイッチ１１０ａは、ＮＮＩインタフェース１００の光スイッチ１２０には選択された波長を出力するが、ＵＮＩインフェース３００に対しては、光スイッチ１２０を介さずに、直接出力側の波長選択スイッチ３１０ｃ、３１０ｄに選択された波長を出力する。
【００８９】
上記の構成は、ＮＮＩインタフェース１００とＵＮＩインタフェース３００との間のアド・ドロップ信号を光スイッチ１２０を通過させないようにしたものである。
【００９０】
上記のように、現用系と予備系がＵＮＩインタフェース２００、ＮＮＩインタフェース１００のどちらも共有する部分がない完全独立構成とすることにより、現用系のどこが故障しても予備系に何ら影響を与えない。
【００９１】
［第９の実施の形態］
図１２は、本発明の第９の実施の形態における光クロスコネクトシステム（冗長系）の構成を示す。本実施の形態では、ＮＮＩインタフェース１００、ＵＮＩインタフェース３００に用いられる波長選択スイッチとして図６に示す帯域分割フィルタで構成される波長選択スイッチを用いる点において、第７の実施の形態と異なるのみである。本実施の形態では、第７の実施の形態と同様に、アド・ドロップ信号を光スイッチ１２０を通過させるものである。
【００９２】
［第１０の実施の形態］
図１３は、本発明の第１０の実施の形態における光クロスコネクトシステム（冗長系）の構成を示す。本実施の形態では、ＮＮＩインタフェース１００、ＵＮＩインタフェース３００に用いられる波長選択スイッチとして図６に示す帯域分割フィルタで構成される波長選択スイッチを用いる点において、第８の実施の形態と異なるのみである。本実施の形態では、第８の実施の形態と同様に、ＮＮＩインタフェース１００とＵＮＩインタフェース３００間のアド・ドロップ信号を、光スイッチ１２０を通過させないようにしたものである。
【００９３】
［第１１の実施の形態］
図１４は、本発明の第１１の実施の形態における光クロスコネクトシステム（冗長系）の構成を示す。本実施の形態では、ＮＮＩインタフェース１００、ＵＮＩインタフェース３００に用いられる波長選択スイッチとして、図１７に示す従来の構成による波長選択スイッチを用いる点において、第７の実施の形態と異なるのみである。本実施の形態では、第７の実施の形態と同様に、ＮＮＩインタフェース１００とＵＮＩインタフェース３００間のアド・ドロップ信号を、光スイッチ１２０を通過させるようにしたものである。
【００９４】
［第１２の実施の形態］
図１５は、本発明の第１２の実施の形態における光クロスコネクトシステム（冗長系）の構成を示す。本実施の形態では、ＮＮＩインタフェース１００、ＵＮＩインタフェース３００に用いられる波長選択スイッチとして、図１７に示す従来の構成による波長選択スイッチを用いる点において、第８の実施の形態と異なるのみである。本実施の形態では、第８の実施の形態と同様に、ＮＮＩインタフェース１００とＵＮＩインタフェース３００間のアド・ドロップ信号を、光スイッチ１２０を通過させないようにしたものである。
【００９５】
なお、本発明は、上記の実施の形態に限定されることなく、特許請求の範囲内において種々変更・応用が可能である。
【産業上の利用可能性】
【００９６】
本発明は、光波長多重システムにおけるクライアント収容及び現用系、予備系からなる冗長化システムに適用可能である。
【図面の簡単な説明】
【００９７】
【図１】本発明の原理構成図である。
【図２】本発明の第１の実施の形態における光クロスコネクトシステムの構成図である。
【図３】本発明の第１の実施の形態における波長選択スイッチの構成図である。
【図４】本発明の第２の実施の形態における光クロスコネクトシステムの構成図である。
【図５】本発明の第３の実施の形態における光クロスコネクトシステムの構成図である。
【図６】本発明の第３の実施の形態における波長選択スイッチの構成図である。
【図７】本発明の第４の実施の形態における光クロスコネクトシステムの構成図である。
【図８】本発明の第５の実施の形態における光クロスコネクトシステムの構成図である。
【図９】本発明の第６の実施の形態における光クロスコネクトシステムの構成図である。
【図１０】本発明の第７の実施の形態における光クロスコネクトシステム（冗長系）の構成図である。
【図１１】本発明の第８の実施の形態における光クロスコネクトシステム（冗長系）の構成図である。
【図１２】本発明の第９の実施の形態における光クロスコネクトシステム（冗長系）の構成図である。
【図１３】本発明の第１０の実施の形態における光クロスコネクトシステム（冗長系）の構成図である。
【図１４】本発明の第１１の実施の形態における光クロスコネクトシステム（冗長系）の構成図である。
【図１５】本発明の第１２の実施の形態における光クロスコネクトシステム（冗長系）の構成図である。
【図１６】従来のクライアントを収容するシステムの構成図である。
【図１７】従来の波長選択スイッチの構成図である。
【符号の説明】
【００９８】
１  波長選択スイッチ
１０  ＮＮＩ（Network Network Interface）
１１  分波器
１２  光スイッチ
２０  ＵＮＩ(User Network Interface)
３１  合波器
１００  ＮＮＩ
１１０  波長選択スイッチ
１１１  分波器
１１２  合波器
１２０  光スイッチ
１３０  波長選択スイッチ
１３１  帯域分割フィルタ
１５０  制御部
２００  ＵＮＩ
２１０  波長選択スイッチ
２３０  波長選択スイッチ
３００  ＵＮＩ
３１０  波長選択スイッチ
３５０  制御部
【図１】
2008259132.tif 000003
【図２】
2008259132.tif 000004
【図３】
2008259132.tif 000005
【図４】
2008259132.tif 000006
【図５】
2008259132.tif 000007
【図６】
2008259132.tif 000008
【図７】
2008259132.tif 000009
【図８】
2008259132.tif 000010
【図９】
2008259132.tif 000011
【図１０】
2008259132.tif 000012
【図１１】
2008259132.tif 000013
【図１２】
2008259132.tif 000014
【図１３】
2008259132.tif 000015
【図１４】
2008259132.tif 000016
【図１５】
2008259132.tif 000017
【図１６】
2008259132.tif 000018
【図１７】
2008259132.tif 000019